(57)【要約】【課題】  一つの液晶廊下灯に複数の患者の情報を表示させる場合であっても充分なプライバシーの保護が図れるナースコールシステムを提供する。【解決手段】  液晶廊下灯のＬＣＤは、表示すべき患者数に応じた患者表示領域Ｒ１〜Ｒ４、ベッド子機以外の呼び出しを表示する子機種別表示領域Ｒ５を有し、ベッド子機から呼び出しが成されたら、まず待受画面１６ａを表示し、看護師の操作を受けたら対応する患者の表示領域Ｒ１のみ患者情報を表示した。ベッド子機以外からの呼び出しを受けたら子機種別表示領域Ｒ５を表示し、呼び出し場所が速やかに解るようにした。【選択図】  図３
2006021029.tif 000002
【特許請求の範囲】
【請求項１】
患者からの呼び出しに応答するためのナースコール親機と、患者が看護師を呼び出すためのナースコール子機と、前記ナースコール子機からの呼び出しを看護師に知らせるために病室毎に設けた廊下灯と、前記ナースコール親機および前記廊下灯を制御する制御機とを有するナースコールシステムにおいて、
前記廊下灯の少なくとも１つが、患者名や患者の救護区分等の患者情報を表示する液晶表示部を備えた液晶廊下灯であり、前記液晶表示部は表示すべき患者の数に応じた患者個々の表示領域を有し、前記液晶廊下灯は前記ナースコール子機からの呼び出しが成された際に、呼出操作をした患者に対応する表示領域のみ患者情報を表示可能とする制御を行う液晶廊下灯制御部を備えたことを特徴とするナースコールシステム。
【請求項２】
前記患者の呼出操作による前記液晶廊下灯の患者情報表示動作は、所定の待受画面を表示し、直接画面変更指示を受けたら待受画面から対応する患者情報を表示する画面に変化するよう前記液晶廊下灯制御部が制御動作することを特徴とする請求項１記載のナースコールシステム。
【請求項３】
前記液晶廊下灯は、前記液晶表示部を操作する表示操作手段を有し、前記表示操作手段が操作されて画面変更指示がなされたら、呼び出しに対応する患者情報が表示されることを特徴とする請求項２記載のナースコールシステム。
【請求項４】
前記液晶廊下灯は人感センサを備え、前記液晶廊下灯制御部は、患者情報を表示しない待受時に、人が近づいたら待受画面を表示させ、更に前記表示操作手段が操作されて次画面呼出操作が成された場合には、すべての患者の表示領域に患者情報を表示させる制御を行うことを特徴とする請求項３記載のナースコールシステム。
【請求項５】
前記液晶廊下灯制御部は、前記ナースコール子機の脱落又は断線を検出し、脱落または断線した前記ナースコール子機に対応する患者の表示領域のみを表示可能とする制御を行うことを特徴とする請求項１乃至４の何れかに記載のナースコールシステム。
【請求項６】
前記液晶廊下灯に接続された前記ナースコール子機からの呼び出しが、トイレに設置されたトイレ用子機及び／又は浴室に設置された浴室用子機からの場合、前記液晶廊下灯制御部は、すべての患者の表示領域を表示させないように制御を行うことを特徴とする請求項１乃至５の何れかに記載のナースコールシステム。
【請求項７】
前記液晶表示部は、呼出操作が成されたナースコール子機の種別を表示するための子機種別表示領域を有し、液晶廊下灯制御部は、前記子機種別表示領域に呼出操作が成されたナースコール子機を特定するための表示を行う制御をすることを特徴とする請求項１乃至６の何れかに記載のナースコールシステム。
【請求項８】
前記液晶廊下灯制御部は、表示させる表示領域以外をマスキング操作することで表示させないように制御することを特徴とする請求項１乃至７の何れかに記載のナースコールシステム。
【請求項９】
前記液晶廊下灯制御部は、火災等の緊急時の場合に、すべての患者の表示領域を表示する制御を行うことを特徴とする請求項１乃至８の何れかに記載のナースコールシステム。
【発明の詳細な説明】
【技術分野】
【０００１】
本発明は、ナースコールシステムに係り、特に、患者のプライバシー保護を考慮したナースコールシステムに関する。
【背景技術】
【０００２】
ナースコールシステムは、ナースステーションに設置され、患者からの呼び出しに応答するためのナースコール親機、個々の病床に設置され、患者が看護師を呼び出すためのナースコール子機、病室毎に設置されてナースコール子機からの呼び出しが成されたことを知らせる廊下灯等から構成され、ナースコール子機により呼出操作がなされたら、廊下灯が呼び出しのあることを表示し、ナースコール親機にて呼び出しがなされる。そして、呼び出しを受けて、応対した看護師はナースコール親機から呼び出した患者と通話ができるし、廊下灯の表示から呼び出しが成されていることを看護師が知ることができる。
【０００３】
このようなナースコールシステムに使用される廊下灯に、特許文献１に記載されているような液晶廊下灯がある。これは、液晶表示部を備え、患者氏名や患者の救護区分等を液晶表示部に表示させ、呼び出しが成された場合等の必要なときのみ患者名等が表示されるようになってる。また、この場合、液晶表示部に表示させる患者名等の表示情報の変更操作はナースコール親機にて可能となっている。
【特許文献１】特開平１０−１９２３４９号公報
【発明の開示】
【発明が解決しようとする課題】
【０００４】
このように廊下灯の表示を液晶表示とすることで、呼び出しが無い間は患者名等を表示しないようにできるため、プライバシーの保護に効果を奏することになる。しかし、上記特許文献１の液晶廊下灯は、複数の患者を表示する場合には適しておらず、この構成により複数の患者に対応させた場合、呼び出しがあった時には表示可能なすべての患者の情報が表示されてしまい充分なプライバシーの保護が図れない。
そこで、本発明はこのような問題点に鑑み、一つの液晶廊下灯に複数の患者の情報を表示させる場合であっても充分なプライバシーの保護が図れるナースコールシステムを提供することを目的とする。
【課題を解決するための手段】
【０００５】
上記課題を解決する為に、請求項１に記載の発明は、患者からの呼び出しに応答するためのナースコール親機と、患者が看護師を呼び出すためのナースコール子機と、ナースコール子機からの呼び出しを看護師に知らせるために病室毎に設けた廊下灯と、ナースコール親機および廊下灯を制御する制御機とを有するナースコールシステムにおいて、廊下灯の少なくとも１つが、患者名や患者の救護区分等の患者情報を表示する液晶表示部を備えた液晶廊下灯であり、液晶表示部は表示すべき患者の数に応じた患者個々の表示領域を有し、液晶廊下灯はナースコール子機からの呼び出しが成されたら、呼出操作をした患者に対応する表示領域のみ患者情報を表示可能とする制御を行う液晶廊下灯制御部を備えたことを特徴とする。
この構成により、液晶廊下灯は、呼び出しが成された際、呼出操作をした患者情報を表示してもその患者以外の患者情報を表示しないので、プライバシーの保護が図れる。
【０００６】
請求項２の発明は、請求項１に記載の発明において、患者の呼出操作による液晶廊下灯の患者情報表示動作は、所定の待受画面を表示し、直接画面変更指示を受けたら待受画面から対応する患者情報を表示する画面に変化するよう液晶廊下灯制御部が制御動作することを特徴とする。
この構成により、患者からの呼び出しが成されても看護師が来るまで液晶廊下灯に患者情報が表示されることはないので、確実にプライバシーの保護が図れる。
【０００７】
請求項３の発明は、請求項２に記載の発明において、液晶廊下灯は、液晶表示部を操作する表示操作手段を有し、表示操作手段が操作されて画面変更指示がなされたら、呼び出しに対応する患者情報が表示されることを特徴とする。
この構成により、対応する看護師は呼出操作をした患者情報を得ることができ、スムーズな対応ができる。
【０００８】
請求項４の発明は、請求項３に記載の発明において、液晶廊下灯は人感センサを備え、液晶廊下灯制御部は、患者情報を表示しない待受時に、人が近づいたら待受画面を表示させ、更に表示操作手段が操作されて次画面呼出操作が成された場合には、すべての患者の表示領域に患者情報を表示させる制御を行うことを特徴とする。
この構成により、液晶廊下灯が何も表示していなくても、看護師等が患者情報を必要とするときは表示させることができ、看護業務をスムーズに行うことができる。
【０００９】
請求項５の発明は、請求項１乃至４の何れかに記載の発明において、液晶廊下灯制御部は、ナースコール子機の脱落又は断線を検出し、脱落または断線したナースコール子機に対応する患者の表示領域のみを表示可能とする制御を行うことを特徴とする。
この構成により、ナースコール子機が断線した患者の情報のみが表示されることがあっても、他の患者の情報が表示されないので、断線した時に病室を通りかかった人があっても、少なくとも他の患者の情報を目にすることがなく、プライバシーの保護が図れる。
【００１０】
請求項６の発明は、請求項１乃至５の何れかに記載の発明において、液晶廊下灯に接続されたナースコール子機からの呼び出しが、トイレに設置されたトイレ用子機及び／又は浴室に設置された浴室用子機からの場合、液晶廊下灯制御部は、すべての患者の表示領域を表示させないように制御を行うことを特徴とする。
この構成により、トイレや浴室からの呼び出しに対しては、患者情報を表示しないのでプライバシーの保護が図れる。
【００１１】
請求項７の発明は、請求項１乃至６の何れかに記載の発明において、液晶表示部は、呼出操作が成されたナースコール子機の種別を表示するための子機種別表示領域を有し、液晶廊下灯制御部は、子機種別表示領域に呼出操作が成されたナースコール子機を特定するための表示を行う制御をすることを特徴とする。
この構成により、呼出場所が廊下灯を見ることで判別でき、素早い対応が可能となる。
【００１２】
請求項８の発明は、請求項１乃至７の何れかに記載の発明において、液晶廊下灯制御部は、表示させる表示領域以外をマスキング操作することで表示させないように制御することを特徴とする。
この構成により、簡単な制御で非表示領域を作成できる。
【００１３】
請求項９の発明は、請求項１乃至８の何れかに記載の発明において、液晶廊下灯制御部は、火災等の緊急時の場合に、すべての患者の表示領域を表示する制御を行うことを特徴とする。
この構成により、緊急時に於いては、液晶廊下灯に全ての患者の情報が表示されるので、看護師は病室内の患者人数や氏名、更には患者の状態等を速やかに把握することができ、素早い対応が可能となる。
【発明の効果】
【００１４】
このように、本発明によれば、液晶廊下灯は、呼び出しが成された際、呼出操作をした患者情報を表示してもその患者以外の患者情報を表示しないので、プライバシーの保護が図れる。更に、患者からの呼び出しが成されても直接画面変更指示を受けるまで液晶廊下灯に患者情報を表示しないようにすることで、確実にプライバシーの保護が図れる。
【発明を実施するための最良の形態】
【００１５】
以下、本発明を具体化した実施の形態を、図面に基づいて詳細に説明する。図１は、本発明に係るナースコールシステムの実施形態の一例を示すシステム構成図であり、１は患者からの呼び出しに応答するためにナースステーションに設けられたナースコール親機、２は通話及びデータの送受を制御すると共に後述する液晶廊下灯の映像を制御する制御機、３は個々のベッドに設けられ、看護師を呼び出すためのベッド子機、４ａはトイレに設けられたトイレ用子機、４ｂは浴室に設けられた浴室用子機、５は病室毎に設置され、患者からの呼び出しを表示する廊下灯、６は個々の看護師が携帯して患者からの呼び出しに応答するための携帯端末、７はＰＢＸ交換機、８は携帯端末６と通信するための無線基地局、そして９は火災感知器、１０は火災受信機である。尚、ベッド子機３とトイレ用子機４ａ、更に浴室用子機４ｂとでナースコール子機を構成している。
【００１６】
ナースコール親機１は２台の親機で構成され、患者情報を個別に表示するエスカッション１２を備え、ＬＣＤ（液晶表示部）１３を有するＬＣＤ親機１ａと、パーソナルコンピュータ（以下、ＰＣとする）から成るＰＣ親機１ｂとから構成されている。ＰＣ親機１ｂは、ＰＣモニタ画面としてＬＣＤ親機１ａに比べて大画面のＬＣＤ１４を備え、エスカッションをそのＬＣＤ１４に表示する構成となっている。また、１５はハンドセットであり、双方の親機１ａ，１ｂに設けられている。
廊下灯５は、集合廊下灯５ａと液晶廊下灯５ｂとで構成され、集合廊下灯５ａは、病室内の個々の患者氏名が記入される記名プレートが取り付けられ、夫々の記名プレートに隣接して呼び出しを報知するランプや救護区分等の表示部が設けられている。また、液晶廊下灯５ｂは、ＬＣＤ１６を備え、呼出操作をした患者の氏名や看護情報等をＬＣＤ１６に表示するよう構成されている。尚、この液晶廊下灯５ｂの患者情報は、ＰＣ親機１ｂから設定される。
【００１７】
図２は図１のシステムの液晶廊下灯５ｂの回路ブロック図を示している。図２に示すように、液晶廊下灯５ｂは、ＬＣＤ１６の所定の位置に文字や絵を表示するためのＬＣＤ駆動回路１８、ＬＣＤ１６を発光表示させるバックライト１９、バックライト１９への電源供給を調整するためのＡＣインバータ２０、患者からの呼び出しを知らせるための表示灯２１、液晶廊下灯５ｂの各回路を制御する液晶廊下灯制御部としての液晶廊下灯ＣＰＵ２２、ナースコール子機３，４ａ，４ｂを接続するための子機インターフェイス２３、画面データ等を保存するメモリ２４、人物の接近を感知する人感センサ２５、ＬＣＤ１６の表示画面を患者情報表示から待受画面に復旧させたり、逆に患者情報を表示させるための復旧ボタン２６を有している。また、この液晶廊下灯５ｂは、４人部屋の病室に設置される形態のものを示し、図３のＬＣＤ表示説明図に示すように、画面は略４分割（Ｒ１〜Ｒ４の領域に分割）され、４名の患者表示領域を備えている。
【００１８】
このように構成されたナースコールシステムは次のように動作する。なお、ナースコール子機３，４ａ，４ｂからの呼出時におけるナースコール親機１または携帯端末６での応答、通話等に関しては本発明の要旨ではないので省略し、主に液晶廊下灯５ｂの動作に関して説明する。
【００１９】
（１）直接、液晶廊下灯を操作する場合
まず、表示動作を行っていない待受状態では、バックライト１９が消灯し、ＬＣＤ１６には何も表示されていない。この状態において、看護師が液晶廊下灯の前に立つと人感センサ２５がそれを感知し、液晶廊下灯ＣＰＵ２２の制御によってＡＣインバータ２０からバックライト１９に所定の電源供給が行われ、バックライト１９が点灯する。このとき、メモリ２４に予め記憶されている待受画面が読み出されて、ＬＣＤ駆動回路１８を介してＬＣＤ１６に待受画面を表示させる。尚、この待受画面は後述する図４の１６ａに示すキャラクター等の絵や写真を用いると良い。
【００２０】
次に、近づいた看護師により復旧ボタン２６が所定の操作（例えば、長押し操作）されると、液晶廊下灯ＣＰＵ２２はこれを検出し、メモリ２４に記憶されている４名全ての患者の情報を読み出し、ＬＣＤ駆動回路１８を介してＬＣＤ１６に各患者に割り当てた患者表示領域にすべて患者情報を表示させる。図３はＬＣＤ１６の表示状態を示し、Ｒ１〜Ｒ４が患者表示領域であり、患者情報は図示するように患者毎に分割されて表示される。
その後、センサ２５が人物を検知しなくなってから所定時間経過すると、液晶廊下灯ＣＰＵ２２の制御によりバックライト１９を消灯させ、待受状態に戻る。
このように、液晶廊下灯に設けられている表示操作手段としての復旧ボタンを操作することで、呼び出しのない状態でも患者情報を必要とするときは表示させることができ、看護業務等をスムーズに行うことができる。
【００２１】
（２）ナースコール子機からナースコール親機を呼び出す場合
ベッド子機３が操作されて呼び出しが成されると、液晶廊下灯ＣＰＵ２２はこの呼出操作を検出し、表示灯２１を点灯或いは点滅させると共にＬＣＤ１６に待受画面を表示する。そして、呼び出しを知った看護師が液晶廊下灯５ｂに近づいて復旧ボタン２６を所定の操作（例えば、所定の時間の長押し操作）することで、液晶廊下灯ＣＰＵ２２はメモリ２４に記憶された４名分の患者の情報を読み出すと共に、操作されたベッド子機３に対応した患者の表示領域（図３（ａ）に示すＲ１の領域）の情報を表示させる。
【００２２】
図４は、この液晶廊下灯５ｂのＬＣＤ１６の表示の変化を示す図で、患者からの呼び出しがあったら１６ａに示すようなキャラクタを待受画面として表示し、その後復旧ボタン２６の操作を受けて呼出操作をした患者情報を表示する変化を示している。この時の患者情報表示動作は、それ以外の患者表示領域を表示させないように、対応する患者表示領域Ｒ２〜Ｒ４にマスキングをかけて実施される。このマスキング操作はメモリ２４からマスキングのための画面を読み出して、重ね合わせて表示させる。こうすることで、呼出操作のない患者の表示領域は例えば全体が白く表示される。このように、マスキング操作により非表示操作をすることで、簡単な制御で非表示領域を作成できる。
【００２３】
このように、患者からの呼び出しがあっても看護師が来るまで液晶廊下灯に患者情報が表示されることはないので、確実にプライバシーの保護が図れるし、応対する看護師は復旧ボタンを操作する簡易な操作で呼出操作をした患者情報を得ることができ、スムーズな対応ができる。
【００２４】
尚、患者からの呼出操作による、液晶廊下灯５ｂの患者情報表示動作は、患者からの呼び出しに連動させても良い。そうすることで、液晶廊下灯５ｂには呼び出しと同時にその患者情報が表示されるが、他の患者情報は表示されないのでプライバシー保護の効果を有するし、呼び出しに対応する看護師は別途表示操作をすることなく廊下灯を見るだけで患者情報を入手でき、速やかな対応が可能となる。
また、図３の表示は病室内のベッドの配置、即ち患者位置に対応しており、例えばＲ１は病室内の左奥のベッドに対応するよう表示している。このように、患者表示領域を、病室内レイアウトに合わせることで、患者を氏名と位置の双方で認識でき、緊急時に於いても間違えるようなことがない。また、Ｒ５はベッド子機３以外のナースコール子機から呼び出しがあった場合に表示動作する子機種別表示領域であり、画面下部に設けられている。
【００２５】
トイレ用子機４ａ或いは浴室用子機４ｂが操作された場合は、図３（ｂ）に示すように、液晶廊下灯ＣＰＵ２２の制御により、子機種別表示領域Ｒ５に子機を特定可能とするための表示をさせる制御を行う。ここでは、「トイレ・バスコール」と表示される。但し、この呼び出しを検出してメモリ２４に記憶された４名分の患者の情報を読み出すが、全ての患者表示領域Ｒ１〜Ｒ４にマスキングをかけるための画面を読み出して重ね合わせて表示することで、図３（ｂ）に示すように全ての人の患者表示領域は表示されない。
【００２６】
（３）緊急時の場合
制御機２に接続された火災感知器９が火災発生を感知したら、その感知信号を受けて制御機２は、緊急信号を液晶廊下灯５ｂに送信する。液晶廊下灯５ｂの液晶廊下灯ＣＰＵ２２は、それを受信すると、メモリ２４に記憶された４名分の患者の情報を読み出して全て表示させる。尚、地震発生等他の緊急時に対しても、制御機２の制御、或いはナースコール親機等の簡易な操作で、同様の動作、即ち４名分の患者の情報を読み出して全て表示させると良い。
【００２７】
（４）子機断線時の動作
液晶廊下灯５ｂは、ナースコール子機３，４ａ，４ｂに対して微弱な電流を通電したり、信号を伝送して断線状態（ナースコール子機の脱落状態）を検出可能とし、そのような状態が発生したら断線発生の報知動作をする。例えば、ベッド子機３が断線したら、液晶廊下灯ＣＰＵ２２は表示灯２１を点灯或いは点滅させ、ＬＣＤ１６に待受画面を表示させ、対応する看護師が復旧ボタン２６を操作したら、発生箇所に対応する患者情報表示領域を表示させる。この場合、患者の呼出操作と同様に他の領域をマスキングすることによって表示させないようにすればよい。
そして、トイレ用子機４ａや浴室用子機４ｂで断線が発生したら、液晶廊下灯ＣＰＵ２２は、待受画面を表示することなく子機種別表示領域Ｒ５を表示させる。
尚、表示灯２１の断線報知動作は、患者からの呼び出しの報知とは異なる動作とするのが良く、色を変えて表示させるのも良い。
【００２８】
このように、ナースコール子機の断線が発生したらそれを報知し、断線した箇所（患者情報）が液晶廊下灯に表示されるので、応対する看護師は断線箇所を知ることができ、スムーズな対応ができる。また、断線発生箇所がベッド子機の場合は、看護師が来るまで患者情報を表示しないので、確実にプライバシーの保護が図れる。
また、トイレや浴室からの呼び出しに対しても液晶廊下灯にてそれを表示するが、患者情報は表示しないので同様にプライバシーの保護が図れるし、緊急時に於いては、液晶廊下灯に全ての患者情報が表示されるので、看護師は病室内の患者人数や氏名等を速やかに把握することができる。
【００２９】
尚、液晶廊下灯５ｂのＬＣＤ１６がカラー表示の場合は、ナースコール子機３，４ａ，４ｂからの呼出種別（通常呼出、緊急呼出等）、脱落／断線、緊急信号の受信時において、表示される患者の患者表示領域の背景色をそれぞれ変更させると遠くからでも把握しやすく好ましい。また、特定のマークを表示させても良い。
また、患者の情報には、氏名、性別、ベッド番号、患者コード、血液型、年齢、担当医師、担当看護師、チームナーシングのチーム番号、病名、感染症、救護区分、住所、連絡先等があるが、これらの情報を表示可能とするのが好ましく、システムの設置環境或いは病院の方針に応じてこれらの中から主要な表示項目を選択決定すればよい。この場合、一時画面としては患者の基本情報（氏名等）を表示させ、さらに所定の操作をすることによって、詳細情報（病名、住所、連絡先等）を表示可能とするとよい。但し、緊急時においては患者を特定できる情報（氏名等）とともに救護区分（単送、護送、独歩）を表示させておくと、救出時にすばやい対応ができるので好適である。
【００３０】
また、上記実施形態では、呼出操作した患者の患者表示領域以外をマスキング操作で表示させないようにしたが、必要な患者情報のみ読み出して表示させるようにしてもよい。
更に、画面の保存を各液晶廊下灯５ｂにメモリ２４をもたせて保存しているが、制御機２にメモリを持たせて保存し、制御機２の制御によって画面を読み出して液晶廊下灯５ｂに送信し、表示させるようにしてもよい。
また、液晶廊下灯５ｂは４名の患者の表示を可能としているが、二人部屋であれば２名の表示領域を設ければ良く、病室内のベッド数に合わせて患者の表示領域を設ければ良い。
【図面の簡単な説明】
【００３１】
【図１】本発明に係るナースコールシステムの実施形態の一例を示す構成図である。
【図２】液晶廊下灯の回路ブロック図である。
【図３】液晶廊下灯のＬＣＤ表示状態の説明図であり、（ａ）はベッド子機から呼び出しが成された状態、（ｂ）はトイレ用子機或いは浴室用子機から呼び出しが成された状態を示している。
【図４】液晶廊下灯の表示の変化を示す説明図である。
【符号の説明】
【００３２】
１・・ナースコール親機、１ａ・・ＬＣＤ親機、１ｂ・・ＰＣ親機、２・・制御機、３・・ベッド子機、４ａ・・トイレ用子機、４ｂ・・浴室用子機、５・・廊下灯、５ｂ・・液晶廊下灯、６・・携帯端末、９・・火災感知器、１２・・エスカッション、１６・・ＬＣＤ（液晶表示部）、１６ａ・・待受画面、１８・・ＬＣＤ駆動回路、２１・・表示灯、２２・・液晶廊下灯ＣＰＵ（液晶廊下灯制御部）、２４・・メモリ、２６・・復旧ボタン（表示操作手段）、Ｒ１〜Ｒ４患者表示領域、Ｒ５・・子機種別表示領域。
【図１】
2006021029.tif 000003
【図２】
2006021029.tif 000004
【図３】
2006021029.tif 000005
【図４】
2006021029.tif 000006